(57)【特許請求の範囲】
【請求項１】
（ａ）  カーテンレール（１１）を走行する複数個のランナー（１２）を介して吊り下げられるカーテン（１３）をランナー（１２）ごとカーテンレールに付け替えするカーテン吊替法であり、（ｂ）  カーテンレール（１１）には、横断面において走行溝（３０）を挟んで向き合うガイドレール（２４・２４）から左右対称に溝壁（２６・２６）に続き、それら左右の溝壁（２６・２６）が溝底（２５）に結ばれて蟻溝状断面形状に囲まれた内部空所（２７）が長さ方向に連続するチャンネル型カーテンレールを使用し、（ｃ）  ランナー（１２）には、カーテンレールの内部空所（２７）に嵌合して左右のレール（２４・２４）に係合する頭部（２０）と、その頭部（２０）から走行溝（３０）を通って突き出される腕部（２１）を有し、腕部（２１）の先端部分にカーテンに接合されるカーテン係合部を形成している複数個のランナーを使用し、（ｄ）  カーテン（１３）の上縁を直接またはフック（１４）やリング等（１５）の吊下治具を介してランナー（１２）に接合し、（ｅ）  複数個の全てのランナー（１２）とカーテン（１３）の接続部（１６）を、連結部（１７）から２つのアーム（１８・１９）が並んで突出してコ字ないしＵ字形を成し、それら２つのアーム間（１８・１９）にランナー（１２）の頭部（２０）よりも狭い嵌込溝（２２）を形成している集結治具（２３）の当該嵌込溝（２２）に嵌め込み、（ｆ）  ランナー（１２）とカーテン（１３）の接続部（１６）を嵌め込んだ集結治具（２３）の２つのアーム（１８・１９）の先端を閉じ合わせ、（ｇ）  複数個の全てのランナー（１２）が嵌込溝（２２）に沿って並んだ状態において、集結治具（２３）を、その嵌込溝（２２）がカーテンレールの走行溝（３０）に重なり合うカーテンレールのカーテンレール（１１）のガイドレール（２４）の外側に位置させて、複数個の全てのランナーの頭部（２０）をカーテンレールの内部空所（２７）に一括して挿入し、又、一括して抜き出すカーテン吊替法。
【請求項２】
（ｐ）  横断面において走行溝（３０）を挟んで向き合うガイドレール（２４・２４）から左右対称に溝壁（２６・２６）に続き、それら左右の溝壁（２６・２６）が溝底（２５）に結ばれて蟻溝状断面形状に囲まれた内部空所（２７）が長さ方向に連続するチャンネル型カーテンレール（１１）を走行する複数個のランナー（１２）を介してカーテンレールに吊り下げられるカーテン（１３）をランナー（１２）ごとカーテンレールに付け替えするために使用されるカーテン集結治具（２３）であり、（ｑ）  連結部（１７）から２つのアーム（１８・１９）が並んで突出したコ字ないしＵ字形状を成し、（ｒ）  それら２つのアーム（１８・１９）の間に、カーテンレール（１１）に係合するランナーの頭部（２０よりも狭い嵌込溝（２２）が形成されており、（ｓ）  それら２つのアーム（１８・１９）の先端の間において、その嵌込溝（２２）が開閉自在に閉じられており、アーム（１８・１９）のカーテンレールのガイドレール（２４・２４）の外側に、又、その嵌込溝（２２）がカーテンレールの走行溝（３０）の外側に、それぞれ向かい合って重なり合う形状を成しているカーテン集結治具。
【発明の詳細な説明】
【０００１】
【発明の属する技術分野】
本発明は、カーテンレールを走行する複数個のランナーを介して吊り下げられるカーテンをランナーごとカーテンレールに付替えるカーテン吊替法、および、その付替に使用されるカーテン集結治具に関するものである。
【０００２】
【従来の技術】
カーテンレールに沿って水平方向に開閉する横開きカーテンは、カーテンレールに導かれて走行する複数個のランナーにカーテン上縁を接合して吊り下げられる。
【０００３】
【発明が解決しようとする課題】
慣用される横開きカーテンの上縁には、一定の間隔でランナーに係合するフックやリングが装着されており、それをカーテンレールに付替えるときは、その１個１個の各フックやリングをランナーから取り外し、又、引っ掛けている。しかし、カーテンレールの多くは、背丈よりも高い位置に取り付けられており、その高所を仰視しての取外し取付けは危険と疲労を伴い、手間のかかる煩わしい手作業なので、一般家庭ではカーテンを季節毎に取り外して洗濯することは殆ど行われず、知らず知らずに汚れたカーテンを数年間もそのまま使用しているのが実情である。ホテルや観光バス等で業務上使用されるカーテンでは、定期的に付け替え、頻繁に洗濯して使用されるが、その付替はホテルや観光バスの利用客の入替時に短時間に行わなければならず、多くの人手を要し、メンテナンスが重荷となる。
【０００４】
【発明の目的】
そこで本発明は、カーテンの付替を簡便且つ短時間に行い、絶えず洗濯してクリーンな状態でカーテンを使うことが出来るようにすることを目的とする。
【０００５】
【課題を解決するための手段】
本発明は、（ａ）  カーテンレール１１を走行する複数個のランナー１２を介して吊り下げられるカーテン１３をランナー１２ごとカーテンレールに付け替えするカーテン吊替法であり、（ｂ）  カーテンレール１１には、横断面において走行溝３０を挟んで向き合うガイドレール２４・２４から左右対称に溝壁２６・２６に続き、それら左右の溝壁２６・２６が溝底２５に結ばれて蟻溝状断面形状に囲まれた内部空所２７が長さ方向に連続するチャンネル型カーテンレールを使用し、（ｃ）  ランナー１２には、カーテンレールの内部空所２７に嵌合して左右のレール２４・２４に係合する頭部２０と、その頭部２０から走行溝３０を通って突き出される腕部２１を有し、腕部２１の先端部分にカーテンに接合されるカーテン係合部を形成している複数個のランナーを使用し、（ｄ）  カーテン１３の上縁を直接またはフック１４やリング等１５の吊下治具を介してランナー１２に接合し、（ｅ）  複数個の全てのランナー１２とカーテン１３の接続部１６を、連結部１７から２つのアーム１８・１９が並んで突出してコ字ないしＵ字形を成し、それら２つのアーム間１８・１９にランナー１２の頭部２０よりも狭い嵌込溝２２を形成している集結治具２３の当該嵌込溝２２に嵌め込み、（ｆ）  ランナー１２とカーテン１３の接続部１６を嵌め込んだ集結治具２３の２つのアーム１８・１９の先端を閉じ合わせ、（ｇ）  複数個の全てのランナー１２が嵌込溝２２に沿って並んだ状態において、集結治具２３を、その嵌込溝２２がカーテンレールの走行溝３０に重なり合うカーテンレールのガイドレール２４の外側に位置させて、複数個の全てのランナーの頭部２０をカーテンレールの内部空所２７に一括して挿入し、又、一括して抜き出すカーテン吊替法を第１の要旨とする。
【０００６】
本発明は、（ｐ）  横断面において走行溝３０を挟んで向き合うガイドレール２４・２４から左右対称に溝壁２６・２６に続き、それら左右の溝壁２６・２６が溝底２５に結ばれて蟻溝状断面形状に囲まれた内部空所２７が長さ方向に連続するチャンネル型カーテンレール１１を走行する複数個のランナー１２を介してカーテンレールに吊り下げられるカーテン１３をランナー１２ごとカーテンレールに付け替えするために使用されるカーテン集結治具２３であり、（ｑ）  連結部１７から２つのアーム１８・１９が並んで突出したコ字ないしＵ字形状を成し、（ｒ）  それら２つのアーム１８・１９の間に、カーテンレール１１に係合するランナーの頭部２０よりも狭い嵌込溝２２が形成されており、（ｓ）  それら２つのアーム１８・１９の先端の間において、その嵌込溝２２が開閉自在に閉じられており、アーム１８・１９のカーテンレールのガイドレール２４・２４の外側に、又、その嵌込溝２２がカーテンレールの走行溝３０の外側に、それぞれ向かい合って重なり合う形状を成しているカーテン集結治具を第２の要旨とする。
【０００７】
【発明の実施の形態】
集結治具２３は、２〜３ｍｍの平板を打ち抜いてアーム１８・１９と連結部１７が平面で続く平板状にするとよく、そうすることによって、２つのアーム１８・１９の間を拡縮するとき作用する曲げモーメントに連結部１７が十分に耐え、又、カーテンレール１１とカーテン上縁１８の僅かな隙間２９にも差し込み易くなる。  嵌込溝２２の溝幅は、走行溝３０の溝幅と同じにすればよい。  嵌込溝２２の先端部分を開閉自在に閉じるには、２つのアーム１８・１９の先端に互いに向き合って触れ合う鉤部３１・３２を突設し、それらのアーム１８・１９をＪ字形にし（図２）、或いは、それら２つのアーム１８・１９の先端にキャップ３３を被せる（図３）。
【０００８】
ランナーの頭部２０は、その寸法が走行溝３０の溝幅よりも大きく、走行溝３０の左右のガイドレール２４・２４に引っ掛って係合する大きさのものであれば、ガイドレールに接して転がる小車（図３）、或いは、ガイドレールの上を摺動する平板状にするなど（図１）、その形状は格別問われない。ランナー１２は直接カーテン上縁２８に剛接してもよいし（図１）、リング１５やフック１４を介してカーテン上縁２８にピン接合してもよい（図２）。即ち、本発明では、カーテンレールの走行溝３０やランナー１２の形状は格別問われず、カーテンレールやランナーやカーテンには従来品の全てが使用される。
【０００９】
カーテンレール１１からカーテン１３をランナー１２と共に取り外す場合は、先ずカーテン１３を引き寄せてランナー１２を寄せ集め、嵌合溝２２を走行溝３０に重なり合うように向かい合わせ、又、アーム１８・１９をガイドレール２４・２４に重なり合うように向かい合わせて、アーム１８・１９をガイドレール２４・２４の外側に当て、集結治具２３をカーテンレール１１の長さ方向に移動しつつ、アーム１８・１９がガイドレール２４・２４の外側に重なり合うように、アーム１８・１９をカーテンレール１１とカーテン上縁２８の間の隙間２９に押し込む。すると、ランナー１２が嵌合溝２２に嵌まり込む（図１）。その全てのランナー１２が嵌合溝２２に嵌まり込んだ時点で嵌合溝２２の先端を閉じ、そのまま集結治具２３を押し込んだ逆方向に引き戻せば、ガイドレール２４に代わるアーム１８・１９に頭部２０が係合して、全てのランナー１２がカーテン１３に接合されたままの状態で内部空所２７から引き出される（図２・図３）。
【００１０】
その引き出された状態では、ランナー１２がアーム１８・１９に係止されて嵌合溝２２が外れることがなく、カーテン１３がランナー１２を介して集結治具２３に結束された状態になるので、そのまま洗濯してもランナー１２やフック等１４・１５が絡み合うことがない。
【００１１】
そのようにカーテン１３が集結治具２３に結束された状態では、カーテンレール１１に装着されているのと同じように、全てのランナー１２が嵌込溝２２に沿って一直線状に並んでおり、アーム１８・１９とランナー１２の間にガイドレール２４が差し込まれるように、アーム１８・１９をガイドレール２４の外面に合わせて集結治具２３をカーテンレール１１の端末からカーテンレール１１の長さ方向に移動させれば、全てのランナー１２がカーテンレール１１の内部空所２７に嵌まり込み、その嵌まり込んだ時点で嵌合溝２２の先端を開き、集結治具２３を引き戻せば、集結治具２３から内部空所２７へと全てのランナー１２が移し変えられ、カーテンレール１１にカーテン１３が吊り下げられることになる。
【００１２】
このように集結治具２３を使用すると、カーテン１２をランナー１２ごとカーテンレール１１に瞬時にして付け替えることが出来る。尚、その付替時には、端末において内部空所２７を塞ぐエンドキャップ３４は、カーテンレール１１から取り外しておく。
【００１３】
端末を壁面に突き当ててカーテンレールが取り付けられる場合は、集結治具２３やエンドキャップ３４が壁面に突き当たるので、カーテンレールの端末の外側に移動させることは出来なくなる。そのような場合には、図４に示すように、カーテンレールの端末において、本体レール１１と、本体レール１１の内部空所２７に嵌合する補助レール３５に分割し、補助レール３５のガイドレールと溝壁と溝底の各外面が本体レール１１のガイドレールと溝壁との溝底の各内面に接触して、走行溝３０の長さ方向に出没自在に補助レール３５が本体レール１１の内部空所２７に嵌合するようにし、補助レール３５を長さ方向に出没移動させて、本体レール１１の端末の外側に、集結治具２３の移動に必要なスペースを確保すればよい。
【００１４】
図５は、端末を壁面に突き当てて取り付けられるカーテンレールの他の実施例を図示するものであり、カーテンレール１１の端末部分をガイドレールの取り除かれたコ字形断形状にし、その左右の溝壁２６と溝底２５の内面に密着して嵌合する補助レール３５をピン４１によって本体レール１１にピン接合すると共に、アーム４２の両端にピン３６とピン３７を介して本体レール１１と補助レール３５をピン接合し、補助レール３５と本体レール１１を接合するピン４１が摺動する長孔３８を本体レール１１に設け、アーム４２と補助レール３５を接合するピン３７が摺動する長孔３９を補助レール３５に設け、補助レール３５を下向きに傾けて本体レール１１の端末の外側に、集結治具２３の移動に必要なスペースが確保される。
【００１５】
図６は、端末を壁面に突き当てて取り付けられるカーテンレールの他の実施例を図示するものであり、カーテンレールの端末は本体レール１１と補助レール３５に分割されており、補助レール３５は蝶番４０を介して本体レール１１にピン接合され、補助レール３５を上向きに傾けて本体レール１１の端末の外側に、集結治具２３の移動に必要なスペースが確保される。
【００１６】
【発明の効果】
上記の通り、本発明によると、既存のカーテンレールやランナーやカーテンになる全てのカーテン吊下装置において、集結治具２３を使用することにより、カーテン１３を全てのランナー１２ごと一括してカーテンレール１１に付け替えすることが出来、その集結治具２３に結束された状態でランナー１２ごとカーテンを洗濯し、絶えずクリーンに保つことが出来る。特に、カーテンの付替が、カーテンレール１１に合わせて集結治具２３を移動すると言う極単純な操作で瞬時に行うことができるので、ホテルや観光バス等で業務上使用されるカーテンでは、利用客の入替と言う極限られた短い時間でも行うことが出来、本発明は頗る好都合である。
【図面の簡単な説明】
【図１】本発明に係るカーテン集結治具の使用状態における断面正面図である。
【図２】本発明に係るカーテン集結治具の使用手順を示す仰視斜視図である。
【図３】本発明に係るカーテン集結治具の使用手順における斜視図である。
【図４】本発明に係るカーテン集結治具の使用状態における仰視斜視図である。
【図５】本発明に係るカーテン集結治具の使用状態における斜視図である。
【図６】本発明に係るカーテン集結治具の使用状態における斜視図である。
【符号の説明】
１１  カーテンレール
１２  ランナー
１３  カーテン
１４  フック
１５  リング
１６  接続部
１７  連結部
１８・１９  アーム
２０  頭部
２１  腕部
２２  嵌込溝
２３  集結治具
２４  ガイドレール
２５  溝底
２６  溝壁
２７  内部空所
２８  カーテン上縁
２９  隙間
３０  走行溝
３１・３２  鉤部
３３  キャップ
３４  エンドキャップ
３５  補助レール
３６・３７  ピン
３８・３９  長孔
４０  蝶番
４１  ピン
４２  アーム
【図１】
0003593611.tif 000002
【図２】
0003593611.tif 000003
【図３】
0003593611.tif 000004
【図４】
0003593611.tif 000005
【図５】
0003593611.tif 000006
【図６】
0003593611.tif 000007